【事件の表示】
　特許第３４２１２０４号「扉の開閉支持装置」の請求項１ないし４、７ないし９に係る特許に対する特許異議の申立てについて、次のとおり決定する。
【結　論】
　訂正を認める。
　特許第３４２１２０４号の請求項１、２、５ないし７に係る特許を取り消す。
【理　由】
１．手続の経緯
　本件特許第３４２１２０４号に係る出願は、平成８年１０月１８日の出願であって、平成１５年４月１８日に特許の設定登録がなされ、その後、浦上信一から請求項１ないし４、７ないし９に係る発明の特許に対して特許異議の申立がなされ、当審より請求項１ないし４、７ないし９に係る発明の特許に対して取消理由通知が通知され、その指定期間内である平成１６年１１月１日付けで訂正請求がなされたものである。
　
２．訂正事項
　平成１６年１１月１日付けでなされた訂正請求書においては、訂正事項が明確に記載されていないが、添付された全文訂正明細書によれば、訂正事項は次のとおりと認められる。　
（１）訂正事項１：特許請求の範囲の請求項１を次のように訂正する。
「【請求項１】先端部に上方へ突出するヒンジピンを有し収納庫の開口部の側縁下端部に取付けられるヒンジプレートと、同ヒンジプレート上にて前記ヒンジピンに挿通された状態で固定されて同ヒンジピンの外周に位置する第１カム部材と、前記収納庫の開口部を開閉する扉の側縁下端部に固定されて前記ヒンジピンに挿通された状態で前記第１カム部材に噛合する第２カム部材を備えて、前記扉の側縁下端部を前記収納庫の開口部の側縁下端部に開閉可能に支持し、前記扉の解放操作時には前記両カム部材の相対回転により同扉を上昇させ、閉鎖操作時には前記カム部材の相対回転により同扉を下降させてその閉鎖動作を助成（当審注：「助勢」の誤記と認める。）する形式の開閉支持装置において、前記第１カム部材が前記ヒンジピンの外周に位置する周方向の歯合面を有し、同噛合面が上方に延在する第１傾斜カム面、同第１傾斜カム面の先端から水平状に延在する平坦面、同平坦面の先端から下方に延在する第２傾斜カム面からなる凸部及び同凸部の両側に位置する凹部により凹凸形状に形成され、前記第１カム部材の歯合面に対応して位置する前記第２カム部材の噛合面が下方に延在する第１傾斜カム面、同第１傾斜カム面の先端から水平状に延在する平坦面、同平坦面の先端から上方に延在する第２傾斜カム面からなる凸部及び同凸部の両側に位置する凹部により凹凸形状に形成されていて、前記扉が前記ヒンジピンを支持軸として回動されたとき前記両カム部材の各凸部が互いに噛合するように構成され、前記扉が閉鎖されたとき前記第１カム部材の第２傾斜カム面又は第１傾斜カム面に前記第２カム部材の第１傾斜カム面又は第２傾斜カム面が噛合して摺接途中の状態に維持されるように前記第１カム部材の各傾斜カム面と前記第２カム部材の各傾斜カム面の周方向の長さをそれぞれ定めたことを特徴とする扉の開閉支持装置。」
（２）訂正事項２：特許請求の範囲の請求項２、３を削除する。
（３）訂正事項３：特許請求の範囲の請求項４〜１１を、次のように訂正する。
「【請求項２】前記第１カム部材の凸部及び凹部の周方向の幅と、前記第２カム部材の凹部及び凸部の周方向の幅が略同一寸法に設定されていることを特徴とする請求項１に記載した扉の開閉支持装置。
　【請求項３】前記扉の閉鎖時に噛合する前記第１カム部材の凹部と前記第２カム部材の凸部における前記扉の閉鎖直前に噛合する側の傾斜カム面の傾斜角度は、他の傾斜カム面の傾斜角度より大きく設定されていることを特徴とする請求項１に記載した扉の開閉支持装置。
　【請求項４】前記扉の開放時に噛合する前記第１カム部材の凸部と前記第２カム部材の凸部における前記扉の開放方向に噛合する側の傾斜カム面を９０度またはこれに近い角度に設定したことを特徴とする請求項１に記載した扉の開閉支持装置。
　【請求項５】前記両カム部材の各噛合面に、前記凸部及び同凸部を挟んで位置する前記両凹部からなる凹凸部を１組として、同凹凸部の複数組が周方向に均等に形成されていることと特徴とする請求項１に記載した扉の開閉支持装置。
　【請求項６】前記凹凸部が前記ヒンジピンを中心とする放射状に形成されていることを特徴とする請求項５に記載した扉の開閉支持装置。
　【請求項７】前記第１カム部材には前記ヒンジプレートに対する取付け用のフランジが設けられ、前記第２カム部材には前記扉に対する取付け用のフランジが設けられていることを特徴とする請求項１に記載した扉の開閉支持装置。
　【請求項８】前記ヒンジプレートの先端縁には、前記ヒンジピンを中心として前記第１カム部材の外周に位置する所定長さの円弧状部と、同円弧状部の各端部にて外側へ突出する突出部が設けられ、前記第２カム部材の外周には、前記ヒンジプレートの先端縁における前記円弧状部の外周に臨み前記各突出部に係合可能な係合部が設けられていて、これら円弧状部および両端部と係合部が、前記ヒンジプレートと前記第２カム部材の間に前記扉の最大開放量を規制する開放規制機構を構成していることを特徴とする請求項１に記載した扉の開閉支持装置。
　【請求項９】前記第１カム部材の外周に、前記第２カム部材を収容する筒部が設けられていることを特徴とする請求項１に記載した扉の開閉支持装置。」
（４）訂正事項４：明細書の段落【０００６】を次のように訂正する。
「【課題を解決するための手段】本発明は扉の開閉支持装置に関し、特に、先端部に上方へ突出するヒンジピンを有し収納庫の開口部の側縁下端部に取付けられるヒンジプレートと、同ヒンジプレート上にて前記ヒンジピンに挿通された状態で固定されて同ヒンジピンの外周に位置する第１カム部材と、前記収納庫の開口部を開閉する扉の側縁下端部に固定されて前記ヒンジピンに挿通された状態で前記第１カム部材に噛合する第２カム部材を備えて、前記扉の側縁下端部を前記収納庫の開口部の側縁下端部に開閉可能に支持し、前記扉の解放操作時には前記両カム部材の相対回転により同扉を上昇させ、閉鎖操作時には前記カム部材の相対回転により同扉を下降させてその閉鎖動作を助勢する形式の開閉支持装置を適用対象とするものである。」
（５）訂正事項５：同段落【０００７】を次のように訂正する。
「しかして、本発明の開閉支持装置は、上記した形式開閉支持装置において、前記第１カム部材が前記ヒンジピンの外周に位置する周方向の歯合面を有し、同噛合面が上方に延在する第１傾斜カム面、同第１傾斜カム面の先端から水平状に延在する平坦面、同平坦面の先端から下方に延在する第２傾斜カム面からなる凸部及び同凸部の両側に位置する凹部により凹凸形状に形成され、前記第１カム部材の歯合面に対応して位置する前記第２カム部材の噛合面が下方に延在する第１傾斜カム面、同第１傾斜カム面の先端から水平状に延在する平坦面、同平坦面の先端から上方に延在する第２傾斜カム面からなる凸部及び同凸部の両側に位置する凹部により凹凸形状に形成されていて、前記扉が前記ヒンジピンを支持軸として回動されたとき前記両カム部材の各凸部が互いに噛合するように構成され、前記扉が閉鎖されたとき前記第１カム部材の第２傾斜カム面又は第１傾斜カム面に前記第２カム部材の第１傾斜カム面又は第２傾斜カム面が噛合して摺接途中の状態に維持されるように前記第１カム部材の各傾斜カム面と前記第２カム部材の各傾斜カム面の周方向の長さをそれぞれ定めたことを特徴とするものである。」
（６）訂正事項６：同段落【００１５】を次のように訂正する。
「【発明の作用・効果】本発明の開閉支持装置においては、扉が閉鎖されている場合には、第２カム部材の凸部が第１カム部材の一方の凹部に噛合した状態にあり、閉鎖状態にある扉を開放操作すると第２カム部材は扉と一体に回転して、第２カム部材の凸部は第１傾斜カム面を第１カム部材の凸部の第２傾斜カム面に噛合して摺接しつつ同第２傾斜カム面を乗り越えて第１カム部材の平坦面に達し、さらに同平坦面を摺接しつつ第１カム部材の他方の凹部に移動し、第２傾斜カム面を第１カム部材の第１傾斜カム面に噛合して摺接しつつ第１カム部材の他方の凹部に噛合する。」
（７）訂正事項７：同段落【００２１】を次のように訂正する。
「特に、本発明による開閉支持装置においては、前記扉が閉鎖されるとき前記第１カム部材の第２傾斜カム面又は第１傾斜カム面に前記第２カム部材の第２傾斜カム面又は第１傾斜カム面が噛合して摺接途中の状態に維持されるように前記第１カム部材の各傾斜カム面と前記第２カム部材の各傾斜カム面の周方向の長さをそれぞれ定めたことにより、前記第１カム部材の第２傾斜カム面又は第１傾斜カム面に前記第２カム部材の第２傾斜カム面又は第１傾斜カム面が噛合して摺接途中の状態に維持されている状態にて前記扉が閉鎖されるため、扉に対しては、閉鎖した状態においても閉鎖方向への回動力が作用していて、この回動力が扉を収納庫の開口縁部に押付けるように作用し、扉の閉鎖状態を一層確実なものとする。」
（８）訂正事項８：同段落【０００８】、【０００９】、【００１２】〜【００１４】の記載を削除する。
　
３．訂正の適否
　上記訂正事項１ないし３に係る訂正は、特許請求の範囲の減縮を目的とするものであり、訂正事項４ないし８に係る訂正は、訂正事項１ないし３に関連してなされた明りょうでない記載の釈明を目的とするものであり、また、いずれの訂正も、願書に添付した明細書又は図面に記載した事項の範囲内のものであり、さらに、実質上特許請求の範囲を拡張し、又は変更するものではない。
　したがって、上記訂正は、特許法第１２０条の４第２項及び第３項で準用する特許法第１２６条第２項および第３項の規定に適合するので、当該訂正を認める。
　（なお、訂正後の請求項１に係る発明は、訂正前の請求項２又は３に係る発明を減縮する訂正と解することもできるが、その場合には、訂正前の請求項１、３又は１、２を削除したものとなるが、上記判断を左右するものではない。）　  　
　
４．異議の申立てについての判断
（１）本件訂正後発明
　訂正後の請求項１、２、５ないし７に係る発明（以下、「訂正後発明１、２、５ないし７」という。）は、訂正明細書の特許請求の範囲の請求項１、２、５ないし７に記載されたとおりのものである（上記２の訂正事項１、３参照）。
　
（２）引用した刊行物に記載された技術的事項
　当審が先に通知した取消理由通知で引用した次の刊行物には以下の記載が認められる。
　（ア）実願昭５４−１２８６０３号（実開昭５６−４７１５８号）のマイクロフィルム（異議申立人提出の甲第１号証。以下、「刊行物１」という。）
　２頁１４行〜４頁９行に「従来の冷蔵庫扉のドアクローザー及びストッパーの構造を第１図〜第１０図により説明する。１は冷蔵庫外箱であり、冷蔵庫本体を構成する。２はパッキング３を装着して冷蔵庫外箱１の開口部（図示せず）を密閉する扉である。４は下ヒンジでピン５を備えネジ６で冷蔵庫外箱１に固定されている。７はピンウケで扉２の下部に設けられた穴（図示せず）に挿入されている。８は回転子であり扉２の下部にネジ９で固定されている。１０は固定子でネジ１１により下ヒンジ４に固定されている。またピンウケ７，回転子８，固定子１０の中心にはピン５が挿入されピン５を軸として回転子８，ピンウケ７が回動できるので扉２が開閉できるものである。更に回転子８と固定子１０の摺動面は第３図〜第６図に示すように放射線状の角度９０°を持った凹凸が形成され、凹部８ａ，１０ａと凸部８ｂ，１０ｂとの間には傾斜部８ｃ，１０ｃが形成されている。而してドアクローザー，ストッパー機構は回転子８と固定子１０に形成された凹部８ａ，１０ａと凸部８ｂ，１０ｂにより作動するのであるが、その作動機構を第７図〜第９図により説明する。第７図は扉２が閉じた状態を示し、回転子８と固定子１０の凸部８ｂ，１０ｂが対向する凹部８ａ，１０ａに互にかみあい、扉２の自重により静止しているものである。第８図はドアクローザーとしての作動状態を示したもので、固定子１０の傾斜部１０ｃに回転子８の傾斜部８ｃがのっており扉２の自重により固定子１０の傾斜部１０ｃを滑りおち扉２の閉じた状態、即ち第７図になるまで扉２が回転して停止する。第９図は扉２が開放されドアストッパーとして作動する状態図を示したもので第７図に示す扉２が閉じた状態から扉２を開放する力Ｆにより回転子８の凸部８ｂは固定子１０の凹部１０ａをのりこえて１８０°回転した位置にある凹部１０ａに落ちこみ停止する構造となっているのである・・」と記載されている。
　上記記載および第１〜９図を参照すると、刊行物１には、
「先端部に上方へ突出するピン５を有し冷蔵庫外箱１の開口部の側縁下端部に取付けられる下ヒンジ４と、同下ヒンジ４上にて前記ピン５に挿通された状態で固定されて同ピン５の外周に位置する固定子１０と、前記冷蔵庫外箱１の開口部を開閉する扉２の側縁下端部に固定されて前記ピン５に挿通された状態で前記固定子１０に噛合する回転子８を備えて、前記扉２の側縁下端部を前記冷蔵庫外箱１の開口部の側縁下端部に開閉可能に支持し、前記扉２の解放操作時には前記固定子１０，回転子８の相対回転により同扉２を上昇させ、閉鎖操作時には前記固定子１０，回転子８の相対回転により同扉２を下降させてその閉鎖動作を助勢する形式のドアクローザーにおいて、前記固定子１０が前記ピン５の外周に位置する周方向の噛合面を有し、同噛合面が上方に延在する傾斜部１０ｃ、同傾斜部１０ｃの先端から水平状に延びる平坦面、同平坦面の先端から下方向へ延在する傾斜部１０ｃからなる凸部１０ｂ及び同凸部１０ｂの両側に位置する凹部１０ａ，１０ａにより凹凸形状に形成され、前記固定子１０の噛合面に対応して位置する前記回転子８の噛合面が下方に延在する傾斜部８ｃ、同傾斜部８ｃの先端から水平状に延在する平坦面、同平坦面の先端から上方に延在する傾斜部８ｃからなる凸部８ｂ及び同凸部８ｂの両側に位置する凹部８ａ，８ａにより凹凸形状に形成されていて、前記扉２が前記ピン５を支持軸として回動されたとき前記固定子１０，回転子８の各凸部１０ｂ，８ｂが互いに噛合するように構成され、前記扉２が閉鎖されたとき前記固定子１０の傾斜部１０ｃに前記回転子８の傾斜部８ｃが噛合するように構成されている扉のドアクローザー」
という発明（以下、「刊行物１記載の発明」という。）、および、
「固定子１０の凸部１０ｂおよび凹部１０ａの周方向の幅と、回転子８の凹部８ａおよび凸部８ｂの周方向の幅が略同一寸法に設定されている」構成、
「固定子１０，回転子８の各噛合面に、凸部１０ｂ，８ｂおよび同凸部１０ｂ，８ｂを挟んで位置する凹部１０ａ，１０ａ，８ａ，８ａからなる凹凸部を１組として、同凹凸部の２組が周方向に均等に形成されている」構成、
「凹凸部１０ａ，８ａ、１０ｂ，８ｂがピン５を中心とする放射状に形成されている」構成、
「固定子１０には下ヒンジ４に対する取付け用のフランジが設けられ、回転子８には扉２に対する取付け用のフランジが設けられている」構成
が記載されていると認められる。
　（イ）実願昭５５−８１３０９号（実開昭５７−４５７５号）のマイクロフィルム（異議申立人提出の甲第２号証。以下、「刊行物２」という。）
　３頁５行〜５頁７行に「図において、１は冷蔵庫等の開口を有する箱体で、開口の前面に扉２を設けている。この扉２は一側の上下端を扉支持部材３，４で箱体１に軸支され開閉自在に取付けられている。前記一方の扉支持部材３は、ヒンジピン５が立設されている。６は前記扉２を常に閉塞方向へ付勢する制御装置で、扉２の中に取付られている。この制御装置６は、収容筒７と、第１係止部材８、第２係止部材９、コイルスプリング１０、係止体１１とよりなっている。前記収容筒７は上下に延びて下方に円筒部１２、上方に角筒部１３を一体に形成している。また収容筒７は前記扉支持部材３と上方に位置し、ヒンジピン５と扉２の孔１３’と同一直線上にくるように扉２中にネジ（図示せず）にて取付られている。前記第１係止部材８は円柱状に形成され、下端に前記角柱状のヒンジピン５を受け入れる角穴１４が形成されるとともに、上端に傾斜カム面１５およびカム面の先端と後端を平坦部１６，１７に形成している。そして、この第１係止部材８は前記収容筒７の円筒部１２に回動自在に収容されている。また第２係止部材９は角柱部１８と円柱部１９とよりなり、角柱部１８の上面に前記コイルスプリング１０の一部を受け入れる穴２０が形成されている。また円柱部１９の下端は前記第１係止部材８の傾斜カム面１５と沿うように同一角度の傾斜カム面２１が形成されるとともに、その先端と後端に平坦部２２，２３が形成されている。そして第２係止部材９の角柱部１８が収容筒７の角筒部１３に上下に摺動可能に設けられるとともに、円柱部１９を円筒部１２内で第１係止部材８の傾斜カム面１５と傾斜カム面２１を沿わせて設けられている。この第２係止部材９はコイルスプリング１０により第１係止部材８側へ押圧されるように収容筒７の上部に形成された溝２４に係止体１１を取付けてコイルスプリング１０を圧縮している。そして第１係止部材８の傾斜カム面１５と第２係止部材９の傾斜カム面２１が一致した状態になるのでなく、若干傾斜カム面１５の上に傾斜カム面２１が乗った状態の時に扉２が開口を閉塞しているように設定するのがよい。この理由は扉２を常に締りがってにすることにより閉じた時のシール性を向上させるためである。」と、第１〜３図とともに記載されている。
　
（３）対比・判断　
（３−１）訂正後発明１について
　（ア）対比
　訂正後発明１と、刊行物１記載の発明とを比較すると、刊行物１記載の発明の「ピン５」、「冷蔵庫外箱１」、「下ヒンジ４」、「固定子１０」、「回転子８」、「傾斜部１０ｃ」、「凸部１０ｂ」、「凹部１０ａ」、「傾斜部８ｃ」、「凸部８ｂ」、「凹部８ａ」、「ドアクローザー」は、それぞれ、訂正後発明１の「ヒンジピン」、「収納庫」、「ヒンジプレート」、「第１カム部材」、「第２カム部材」、「（第１カム部材の）第１、第２傾斜カム面」、「（第１カム部材の）凸部」、「（第１カム部材の）凹部」、「（第２カム部材の）第１、第２傾斜カム面」、「（第２カム部材の）凸部」、「（第２カム部材の）凹部」、「開閉支持装置」に相当するから、両者の一致点及び相違点は次のように認定される。
　一致点：
「先端部に上方へ突出するヒンジピンを有し収納庫の開口部の側縁下端部に取付けられるヒンジプレートと、同ヒンジプレート上にて前記ヒンジピンに挿通された状態で固定されて同ヒンジピンの外周に位置する第１カム部材と、前記収納庫の開口部を開閉する扉の側縁下端部に固定されて前記ヒンジピンに挿通された状態で前記第１カム部材に噛合する第２カム部材を備えて、前記扉の側縁下端部を前記収納庫の開口部の側縁下端部に開閉可能に支持し、前記扉の解放操作時には前記両カム部材の相対回転により同扉を上昇させ、閉鎖操作時には前記カム部材の相対回転により同扉を下降させてその閉鎖動作を助勢する形式の開閉支持装置において、前記第１カム部材が前記ヒンジピンの外周に位置する周方向の噛合面を有し、同噛合面が上方に延在する第１傾斜カム面、同第１傾斜カム面の先端から水平状に延在する平坦面、同平坦面の先端から下方に延在する第２傾斜カム面からなる凸部及び同凸部の両側に位置する凹部により凹凸形状に形成され、前記第１カム部材の噛合面に対応して位置する前記第２カム部材の噛合面が下方に延在する第１傾斜カム面、同第１傾斜カム面の先端から水平状に延在する平坦面、同平坦面の先端から上方に延在する第２傾斜カム面からなる凸部及び同凸部の両側に位置する凹部により凹凸形状に形成されていて、前記扉が前記ヒンジピンを支持軸として回動されたとき前記両カム部材の各凸部が互いに噛合するように構成され、前記扉が閉鎖されたとき前記第１カム部材の第２傾斜カム面又は第１傾斜カム面に前記第２カム部材の第１傾斜カム面又は第２傾斜カム面が噛合するように構成されている扉の開閉支持装置」。
　相違点：
　訂正後発明１では、扉が閉鎖されたとき第１カム部材の第２傾斜カム面又は第１傾斜カム面に第２カム部材の第１傾斜カム面又は第２傾斜カム面が噛合して摺接途中の状態に維持されるように前記第１カム部材の各傾斜カム面と前記第２カム部材の各傾斜カム面の周方向の長さをそれぞれ定めたのに対し、刊行物１記載の発明では、扉が閉鎖されたとき第１カム部材の第２傾斜カム面又は第１傾斜カム面に第２カム部材の第１傾斜カム面又は第２傾斜カム面が噛合するが、摺接途中の状態に維持されるように前記第１カム部材の各傾斜カム面と前記第２カム部材の各傾斜カム面の周方向の長さをそれぞれ定めていない点。
　（イ）判断
　相違点について検討するために刊行物２をみると、刊行物２には、訂正後発明１と同様に、扉を閉めたときに、扉を常に閉まるようにするため、つまり閉まりがってとなるようにするために、扉２が開口を閉塞したとき（訂正後発明１の「扉が閉鎖されたとき」に相当）、第１係止部材８の傾斜カム面１５（訂正後発明１の「第１カム部材の第２傾斜カム面又は第１傾斜カム面」に相当）と第２係止部材９の傾斜カム面２１（訂正後発明１の「第２カム部材の第１傾斜カム面又は第２傾斜カム面」に相当）が一致した状態になるのでなく、若干傾斜カム面１５の上に傾斜カム面２１が乗った状態となるように（訂正後発明１の「カム面が摺接途中の状態に維持されるように」に相当）する構成が記載されており、刊行物１記載の発明の凹凸噛合構成のカム面に該技術を採用して、扉が閉鎖されたとき摺接途中の状態に維持されるようにすることは、当業者が容易になし得ることにすぎない。
　また、訂正後発明１において、「第１カム部材の各傾斜カム面と第２カム部材の各傾斜カム面の周方向の長さをそれぞれ定め」た構成は、傾斜カム面の周方向の長さを、摺接途中の状態に維持するのに必要な長さとする程度の技術的意味しかなく、そうだとすれば、摺接途中の状態に維持するのに必要な長さとすることは当業者が適宜なし得ることにすぎない。
　したがって、訂正後発明１は、刊行物１、２に記載された発明に基いて当業者が容易に発明をすることができたものである。
　
（３−２）訂正後発明２、５ないし７について
　訂正後発明２、５ないし７はいずれも、訂正後発明１を引用してさらに、訂正後発明２は「前記第１カム部材の凸部及び凹部の周方向の幅と、前記第２カム部材の凹部及び凸部の周方向の幅が略同一寸法に設定されている」と限定し、訂正後発明５は「前記両カム部材の各噛合面に、前記凸部及び同凸部を挟んで位置する前記両凹部からなる凹凸部を１組として、同凹凸部の複数組が周方向に均等に形成されている」と限定し、訂正後発明６は「前記凹凸部が前記ヒンジピンを中心とする放射状に形成されている」と限定し、訂正後発明７は「前記第１カム部材には前記ヒンジプレートに対する取付け用のフランジが設けられ、前記第２カム部材には前記扉に対する取付け用のフランジが設けられている」と限定したものであるが、上記訂正後発明１についての検討事項に加えて、該各限定事項はいずれも、刊行物１に記載されているから、訂正後発明２、５ないし７はいずれも、刊行物１、２に記載された発明に基いて当業者が容易に発明をすることができたものである。
　
５．むすび
　以上のとおりであるから、訂正後発明１、２、５ないし７は、特許法第２９条第２項の規定により特許を受けることができない。
　したがって、訂正後発明１、２、５ないし７の特許は、特許法第１１３条第２項に該当し、取り消されるべきものである。
　よって、結論のとおり決定する。
【異議決定日】
平成１７年２月８日（２００５．２．８）
【訂正の要旨】
審決（決定）の【理由】欄参照。
（５４）【発明の名称】
扉の開閉支持装置
（５７）【特許請求の範囲】
　【請求項１】先端部に上方へ突出するヒンジピンを有し収納庫の開口部の側縁下端部に取付けられるヒンジプレートと、同ヒンジプレート上にて前記ヒンジピンに挿通された状態で固定されて同ヒンジピンの外周に位置する第１カム部材と、前記収納庫の開口部を開閉する扉の側縁下端部に固定されて前記ヒンジピンに挿通された状態で前記第１カム部材に噛合する第２カム部材を備えて、前記扉の側縁下端部を前記収納庫の開口部の側縁下端部に開閉可能に支持し、前記扉
の開放操作時には前
り同扉を上昇させ、閉
前記カム部材の相対回転により同扉を
その
において、
が前記ヒンジピンの外周に位置する周方向の噛合面を有し、同噛合面が上方に延在する第１傾斜カム面、同第１傾斜カム面の先端から水平状に延在する平坦面、同平坦面の先端から下方に延在する第２傾斜カム面からなる凸部及び同凸部の両側に位置する凹部により凹凸形状に形成され、前記第１カム部材の噛合面に対応して位置する前記第２カム部材の噛合面が下方に延在する第１傾斜カム面、同第１傾斜カム面の先端から水平状に延在する平坦面、同平坦面の先端から上方に延在する第２傾斜カム面からなる凸部及び同凸部の両側に位置する凹部より凹凸形状に形成されていて、前記扉が前記ヒンジピンを支持軸として回動されたとき前記両カム部材の各凸部が互いに噛合するように構成され、前記扉が閉鎖されたとき前記第１カム部材の第２傾斜カム面又は第１傾斜カム面に前記第２カム部材の第１傾斜カム面又は第２傾斜カム面が噛合して摺接途中の状態に維持されるように前記第１カム部材の各傾斜カム面と前記第２カム部材の各傾斜カム面の周方向の長さをそれぞれ定めた
　【請求項２】
前記第１カム部材の凸部及び凹部の周方向の幅と、前記第２カム部材の凹部及び凸部の周方向の幅が略同一寸法に設定されていることを特徴とする請求項１に記載した扉の開閉支持装置。
　【請求項３】
前記扉の閉鎖時に噛合する前記第１カム部材の凹部と前記第２カム部材の凸部における前記扉の閉鎖直前に噛合する側の傾斜カム面の傾斜角度は、他の傾斜カム面の傾斜角度より大きく設定されていることを特徴とする請求項１に記載した扉の開閉支持装置。
　【請求項４】
前記扉の開放時に噛合する前記第１カム部材の凸部と前記第２カム部材の凸部における前記扉の開放方向に噛合する側の傾斜カム面を９０度またはこれに近い角度に設定したことを特徴とする請求項１に記載した扉の開閉支持装置。
　【請求項５】
前記両カム部材の各噛合面に、前記凸部及び同凸部を挟んで位置する前記両凹部からなる凹凸部を１組として、同凹凸部の複数組が周方向に均等に形成されていることと特徴とする請求項１に記載した扉の開閉支持装置。
　【請求項６】
前記凹凸部が前記ヒンジピンを中心とする放射状に形成されていることを特徴とする請求項５に記載した扉の開閉支持装置。
　【請求項７】
前記第１カム部材には前記ヒンジプレートに対する取付け用のフランジが設けられ、前記第２カム部材には前記扉に対する取付け用フランジが設けられていることを特徴とする請求項１に記載した扉の開閉支持装置。
　【請求項８】
前記ヒンジプレートの先端縁には、前記ヒンジピンを中心として前記第１カム部材の外周に位置する所定長さの円弧状部材と、同円弧状部の各端部にて外側へ突出する突出部が設けられ、前記第２カム部材の外周には、前記ヒンジプレートの先端縁における前記円弧状部の外周に臨み前記各突出部に係合可能な係合部が設けられていて、これら円弧状部および両端部と係合部が、前記ヒンジプレートと前記第２カム部材の間に前記扉の最大開放量を規制する開放規制機構を構成していることを特徴とする請求項１に記載した扉の開閉支持装置。
　【請求項９】
前記第１カム部材の外周に、前記第２カム部材を収容する筒部が設けられていることを特徴とする請求項１に記載した扉の開閉支持装置。
【発明の詳細な説明】
　【０００１】
　【発明の属する技術分野】本発明は扉の開閉支持装置に関し、特に、収納庫の開口部を開閉する扉の下側を回動可能に支持するための開閉支持装置に関する。
　【０００２】
　【従来の技術】当該開閉支持装置の一形式として実開昭６３−６６７９１号公報に示されているように、先端部に上方へ突出するヒンジピンを有し収納庫の開口部の側縁下端部に取付けられるヒンジプレートと、同ヒンジプレート上にて前記ヒンジピンに挿通された状態で固定されて同ヒンジピンの外周に位置する第１カム部材と、前記収納庫の開口部を開閉する扉の側縁下端部に固定されて前記ヒンジピンに挿通された状態で前記第１カム部材に噛合する第２カム部材を備えた開閉支持装置がある。
　【０００３】当該開閉支持装置においては、前記扉の側縁下端部を前記収納庫の開口部の側縁下端部に開閉可能に支持するもので、前記扉の開閉時には前記両カム部材が相対回転して、前記扉の開放操作時には同扉を上昇させるとともに閉鎖操作時には下降させ、特に、同扉の閉鎖操作時の下降動作を同扉の閉鎖方向への助勢力として利用して、同扉を確実に閉鎖することを意図したものである。
　【０００４】
　【発明が解決しようとする課題】ところで、当該開閉支持装置は、扉の開閉操作時に同扉を昇降させる機能を備えている。しかしながら、当該開閉支持装置においては、両カム部材が扉の閉鎖直前に有効に機能して同扉を確実に閉鎖させるカム形状、両カム部材が扉の開閉操作時に円滑に動作する摩耗、損傷の少ないカム形状、扉の閉鎖操作時の下降動作が開放操作時の上昇動作に比較して強くて両カム部材が扉の閉鎖直前に一層有効に機能するとともに、扉の閉鎖操作が軽く行えるカム形状、両カム部材が扉の最大開放量を規制し得て扉の最大開放量を規制する特別の回動規制機構を要しないカム形状等については考慮されていない。
　【０００５】従って、本発明の目的は、上記した形式の開閉支持装置において、これらの問題に対処することにあり、さらには、各カム部材の収納庫または扉に対する取付けを容易にし、または扉の最大開放量を確実に規制し得る簡単な構成の開放規制機構を提供することにある。
　【０００６】
　【課題を解決するための手段】本発明は扉の開閉支持装置に関し、特に、先端部に上方へ突出するヒンジピンを有し収納庫の開口部の側縁下端部に取付けられるヒンジプレートと、同ヒンジプレート上にて前記ヒンジピンに挿通された状態で固定されて同ヒンジピンの外周に位置する第１カム部材と、前記収納庫の開口部を開閉する扉の側縁下端部に固定されて前記ヒンジピンに挿通された状態で前記第１カム部材に噛合する第２カム部材を備えて、前記扉の側縁下端部を前記収納庫の開口部の側縁下端部に開閉可能に支持し、前記扉
の開放操作時には前
り同扉を上昇させ、閉
前記カム部材の相対回転により同扉を
その
　【０００７】しかして、本発明
の開
が前記ヒンジピンの外周に位置する周方向の噛合面を有し、同噛合面が上方に延在する第１傾斜カム面、同第１傾斜カム面の先端から水平状に延在する平坦面、同平坦面の先端から下方に延在する第２傾斜カム面からなる凸部及び同凸部の両側に位置する凹部により凹凸形状に形成され、前記第１カム部材の噛合面に対応して位置する前記第２カム部材の噛合面が下方に延在する第１傾斜カム面、同第１傾斜カム面の先端から水平状に延在する平坦面、同平坦面の先端から上方に延在する第２傾斜カム面からなる凸部及び同凸部の両側に位置する凹部により凹凸形状に形成されていて、前記扉が前記ヒンジピンを支持軸として回動されたとき前記両カム部材の各凸部が互いに噛合するように構成され、前記扉が閉鎖されたとき前記第１カム部材の第２傾斜カム面又は第１傾斜カム面に前記第２カム部材の第１傾斜カム面又は第２傾斜カム面が噛合して摺接途中の状態に維持されるように前記第１カム部材の各傾斜カム面と前記第２カム部材の各傾斜カム面の周方向の長さをそれぞれ定めた
　【０００８】削除
　【０００９】削除
　【００１０】また、当該開閉支持装置においては、前記第１カム部材の凸部および凹部の周方向の幅と、前記第２カム部材の凹部および凸部の周方向の幅が略同一寸法に形成する構成、前記扉の閉鎖時に噛合する前記第１カム部材の凹部と前記第２カム部材の凸部における前記扉の閉鎖直前に噛合する側の傾斜カム面の傾斜角度を、他の傾斜カム面の傾斜角度より大きく設定する構成、前記扉の開放時に噛合する前記第１カム部材の凹部と前記第２カム部材の凸部における前記扉の開放方向に噛合する側の傾斜カム面を９０度またはこれに近い角度に設定する構成、前記両カム部材の噛合面には、前記凸部および同凸部を挟んで位置する前記両凹部からなる凹凸部を１組として、同凹凸部の複数組を周方向に均等に形成する構成、前記凹凸部を前記ヒンジピンを中心とする放射状に形成する構成を採用することができる。
　【００１１】また、本発明に係る上記した両開閉支持装置においては、前記第１カム部材に前記ヒンジプレートに対する取付け用のフランジを設けるとともに、前記第２カム部材に前記扉に対する取付け用のフランジを設ける構成、前記ヒンジプレートの先端縁に、前記ヒンジピンを中心として前記
第１カム部材
第２カム部材の
これら円弧部および両端部と係合部により、
第２カム部材
　【００１２】削除
　【００１３】削除
　【００１４】削除
　【００１５】
　
【発明の作用・効果】
　
本発明の開閉支持装置
　【００１６】これにより、扉は開放方向へ回動しつつ両傾斜カム面の高さに相当する分だけ上昇し、その上昇位置にてさらに開放方向へ回動した後、両傾斜カム面の高さに相当する分下降して最大限開放される。
　【００１７】また、当該開閉支持装置においては、扉が最大限開放されている場合には、第２カム部材の凸部が第１カム部材の他方の凹部に噛合した状態にあり、開放状態にある扉を閉鎖操作すると、第２カム部材は扉と一体に上記とは逆方向へ回転して、第２カム部材の凸部は第２傾斜カム面を第１カム部材の凸部の第１傾斜カム面に噛合して摺接しつつ同第１傾斜カム面を乗り越えて第１カム部材の平坦面に達し、さらに同平坦面を摺接しつつ第１カム部材の一方の凹部に移動し、第１傾斜カム面を第１カム部材の第２傾斜カム面に噛合して摺接しつつ第１カム部材の一方の凹部に噛合する。
　【００１８】これにより、扉は閉鎖方向へ回動しつつ両傾斜カム面の高さに相当する分だけ上昇し、その上昇位置にてさらに閉鎖方向へ回動した後、両傾斜カム面の高さに相当する分下降し、この下降時の動作力が扉の閉鎖方向への回動力として作用し、扉の閉鎖動作を助勢する。この結果、扉は確実に閉鎖されて収納庫が閉鎖される。
　【００１９】このように、当該開閉支持装置においては、扉の開放時に第２カム部材の凸部を第１カム部材の他方の凹部に噛合させるように構成されているため、扉を最大限開放した扉をそのままの状態に保持することができ、収納庫に対する収納品の出し入れ作業を、扉の開放状態を手で保持することなく、両手で行うことができて、収納庫の使い勝手が極めてよくなる。
　【００２０】また、当該開閉支持装置においては、第２カム部材が第１カム部材の各凹部に噛合するまでの間は、両カム部材の凸部の平坦面で摺接する。このため、この間では扉の昇降が規制されて扉の過剰な昇降が防止されるとともに、各カム部材の噛合面の摩耗、損傷を軽減させることができる。
　【００２１】特に、本発明による開閉支持装置においては、
前記扉が閉鎖されるとき前記第１カム部材の第２傾斜カム面又は第１傾斜カム面に前記第２カム部材の第２傾斜カム面又は第１傾斜カム面が噛合して摺接途中の状態に維持されるように前記第１カム部材の各傾斜カム面と前記第２部材の各傾斜カム面の周方向の長さをそれぞれ定めた
前記第１カム部材の第２傾斜カム面又は第１傾斜カム面に前記第２カム部材の第２傾斜カム面又は第１傾斜カム面が噛合して摺接途中に維持されている状態にて前記扉が開閉されるため、扉に対しては、閉鎖した状態においても閉鎖方向への回動力が作用していて、この回動力が扉を収納庫の開口縁部に押付けるように作用し、扉の開閉状態を一層確実なものとする。
　【００２２】また、当該開閉支持装置においては、第１カム部材の凸部および凹部の周方向の幅と、第２カム部材の凹部および凸部の周方向の幅を略同一寸法に形成する構成を採用すれば、各カム部材の凸部の摺動部である平坦面を大きく形成し得て、平坦面における単位面積当りの圧力を低減して、各カム部材の作動を円滑にし、かつ耐久性を向上させることができる。
　【００２３】また、当該開閉支持装置においては、扉の閉鎖時に噛合する第１カム部材の凹部と第２カム部材の凸部における扉の閉鎖直前に噛合する側の傾斜カム面の傾斜角度を、他の傾斜カム面の傾斜角度より大きく設定する構成を採用すれば、扉の閉鎖操作を軽く行うことができるとともに、扉の閉鎖方向の作用力を大きくすることができる。
　【００２４】また、当該開閉支持装置においては、扉の開放時に噛合する第１カム部材の凹部と第２カム部材の凸部における扉の開放方向に噛合する側の傾斜カム面を９０度またはこれに近い角度に設定する構成を採用すれば、扉の所定量の開放以上の開放を規制することができて、特別の回動規制機構を設けることなく、扉の最大開放量を所定量に規制することができる。
　【００２５】また、当該開閉支持装置においては、両カム部材の噛合面に、凸部および同凸部を挟んで位置する両凹部からなる凹凸部を１組として、同凹凸部の複数組を周方向に均等に形成する構成を採用することができ、これにより、同時に係合する各傾斜カム面が複数組となって各傾斜カム面の摺接圧力が周方向に分散され、両カム部材の作動を一層円滑に、かつ両カム部材の噛合面の摩耗、損傷を一層抑制することができる。これらの作用効果は、各凹凸部をヒンジピンを中心とする放射状に形成することにより効果的に達成できる。
　【００２６】本発明に係る上記した両開閉支持装置においては、第１カム部材にヒンジプレートに対する取付け用のフランジを設けるとともに、第２カム部材に扉に対する取付け用のフランジを設ける構成を採用することができ、これにより、第１カム部材の収納庫側への取付け、および第２カム部材の扉側への取付けを容易にすることができる。
　【００２７】また、これらの開閉支持装置においては、ヒンジプレートの先端縁に、ヒンジピンを中心として第１カム部材の外周に位置する所定長さの円弧状部と、同円弧状部の各端部にて外側へ突出する突出部を設けるとともに、第２カム部材の外周にヒンジプレートの先端縁における円弧状部の外周に臨み各突出部に係合可能な係合部を設けて、ヒンジプレートと第２カム部材間に前記扉の最大開放量を規制する開放規制機構を形成する構成を採用することができる。これにより、扉の最大開放量を規制する開放規制機構を、部品点数を増やすことなく、簡単な構造にて構成することができる。
　【００２８】また、これらの開閉支持装置においては、第１カム部材の外周に、前記第２カム部材を収容する筒部を設ける構成を採用することができ、これにより、両カム部材の噛合面間に介在させるグリース等の潤滑剤の外部への漏洩を防止することができる。
　【００２９】
　【発明の実施の形態】以下本発明を図面に基づいて説明するに、図１には本発明に係る開閉支持装置を採用して開閉扉を支持した観音開き式冷蔵庫の一例が示されている。当該観音開き式冷蔵庫（以下単に冷蔵庫ということがある）は、上側の両開閉扉および下側の両開閉扉を全て閉鎖した正面の状態を示すもので、全ての開閉扉を正面側（手前）へ回動することにより開放することができるとともに、背面側（後方）へ回動することにより閉鎖することができるものである。
　【００３０】当該冷蔵庫は上下２段の冷蔵室を備えたもので、図１および図２に示すように、庫本体１１はその上部および下部にそれぞれ正面開口部１１ａ，１１ｂを備えているとともに、上側の正面開口部１１ａを開閉する開閉扉である一対の第１，第２扉１２，１３、および下側の正面開口部１１ｂを開閉する開閉扉である一対の第１，第２扉１４，１５を備えている。
　【００３１】各第１扉１２，１４は、それらの基端部である左側縁部にて庫本体１１の各開口部１１ａ，１１ｂの左側縁部に前後方向へ回動可能に支持されており、また各第２扉１３，１５はそれらの基端部である右側縁部にて庫本体１１の各開口部１１ａ，１１ｂの右側縁部に前後方向へ回動可能に支持されている。
　【００３２】第１扉１２は、図２に示すように、下端部にて本発明の一例に係る開閉支持装置２０ａにて支持され、かつ上端部にて公知のヒンジ装置２０ｂにて支持されている。なお、その他の各扉１３〜１５も第１扉１２と同様に開閉支持装置２０ａとヒンジ装置２０ｂとにより支持されている。従って、以下の説明においては、全ての扉１２〜１５の総称として開閉扉１０ａなる文言を使用する。
　【００３３】当該冷蔵庫は、開閉扉１０ａを支持する開閉支持装置２０ａとヒンジ装置２０ｂの軸心が互いにずれているオートクローズ方式のものであり、開閉扉１０ａは開閉操作時には図２の２点鎖線で示す回動軸を中心に回動し、開閉扉１０ａは開放状態においては回動軸の傾斜角度に相当する角度だけ傾斜した状態にあって、開放状態にある開閉扉１０ａは、その傾斜角度に起因するわずかな回動力の作用にて、閉鎖方向へ漸次回動して閉鎖するように構成されている。
　【００３４】開閉扉１０ａが閉鎖された状態では、開閉扉１０ａの背面側の周縁部に沿って配設されているシール部材が庫本体１１の開口縁部に密接するとともに、開閉扉１０ａの先端面側に側縁部に沿って配設されているシール部材が互いに密接して、庫本体１１の開口部が密閉される。
　【００３５】しかして、開閉支持装置２０ａは、図３〜図５に示すように、ヒンジプレート２１、ヒンジピン２２、第１カム部材２３およびこれと一体の取付フランジ２４ａ、第２カム部材２５およびこれと一体の取付フランジ２４ｂにて構成されている。
　【００３６】ヒンジプレート２１は、図３に示すように、庫本体１１の各開口部の下方縁部に取付けられるもので平板状を呈し、その先端側にはヒンジピン２２が起立状に固着されている。
　【００３７】第１カム部材２３は、図４に拡大して示すように、取付フランジ２４ａ上の先端部に一体的に形成された円筒状のもので、上端側の噛合面には、凸部２３ａおよび凹部２３ｂが周方向に所定間隔を保持して３個づつ形成されている。凸部２３ａおよび凹部２３ｂは第１傾斜カム面２３ｃと第２傾斜カム面２３ｄにて互いに連結されているもので、凸部２３ａの頂部および凹部２３ｂの底部は平坦面に形成されているとともに、各傾斜カム面２３ｃ，２３ｄは同一の傾斜角度に形成されている。また、凸部２３ａと凹部２３ｂは、周方向の幅が同一寸法に形成されているとともに、内孔２３ｅを中心とする放射状に形成されている。内孔２３ｅは、ヒンジピン２２がガタなく挿通する寸法に形成されている。
　【００３８】第１カム部材２３はヒンジピン２２に挿通された状態でヒンジプレート２１に重合されて、同ヒンジプレート２１上に固定されており、凸部２３ａ、凹部２３ｂ、および傾斜カム面２３ｃ，２３ｄが形成されている噛合面を上方に向けて位置している。
　【００３９】第２カム部材２５は、図５に拡大して示すように（但し図４の略０．７倍）、取付フランジ２４ｂの下面側の先端部に一体的に形成された円筒状のもので、下面側の噛合面には、凸部２５ａおよび凹部２５ｂが周方向に所定間隔を保持して３個づつ形成されている。凸部２５ａおよび凹部２５ｂは第１傾斜カム面２５ｃと第２傾斜カム面２５ｄにて互いに連結されているもので、凸部２５ａの頂部および凹部２５ｂの底部は平坦面に形成されているとともに、各傾斜カム面２５ｃ，２５ｄは同一の傾斜角度に形成されている。また、凸部２５ａと凹部２５ｂは、周方向の幅が同一寸法に形成されているとともに、内孔２５ｅを中心とする放射状に形成されている。内孔２５ｅは、ヒンジピン２２がガタなく挿通しかつ円滑に相対回転する寸法に形成されている。
　【００４０】第２カム部材２５においては、凸部２５ａ、凹部２５ｂ、および傾斜カム面２５ｃ，２５ｄが、第１カム部材２３の凸部２３ａ、凹部２３ｂ、および傾斜カム面２３ｃ，２３ｄと略同一寸法に形成されており、取付フランジ２４ｂにて開閉扉１０ａの基端部の下面に固定され、ヒンジピン２２に挿通された状態で、その噛合面が第１カム部材２３の噛合面に噛合している。
　【００４１】図６は、当該開閉支持装置２０ａを使用して開閉扉１０ａを支持した状態における両カム部材２３，２５の噛合状態を示すもので、同図（ａ）は開閉扉１０ａの開閉途中の噛合状態、同図（ｂ）は開閉扉１０ａの閉鎖時の噛合状態、同図（ｃ）は開閉扉１０ａの最大開放時における噛合状態をそれぞれ示している。
　【００４２】当該開閉支持装置２０ａにおいては、開閉扉１０ａの閉鎖時には、第２カム部材２５の凸部２５ａが第１カム部材２３の凹部２３ｂに完全に噛合する直前にあって、第２カム部材２５の第１傾斜カム面２５ｃが第１カム部材２３の第２傾斜カム面２３ｄに噛合途中の状態にあるように、両カム部材２３，２５が形成されている。
　【００４３】かかる構成の開閉支持装置２０ａを採用して開閉扉１０ａを支持した冷蔵庫においては、開閉扉１０ａが閉鎖されている場合には、第２カム部材２５の凸部２５ａが図６（ｂ）に示すように第１カム部材２３の凹部２３ｂに噛合して、第１傾斜カム面２５ｃを第１カム部材２３の第２傾斜カム面２３ｄに噛合した状態にある。
　【００４４】この閉鎖状態にある開閉扉２０ａを開放操作すると、第２カム部材２５は開閉扉１０ａと一体に回転して、第２カム部材２５の凸部２５ａは第１傾斜カム面２５ｃを第１カム部材２３の第２傾斜カム面２３ｄに摺接しつつ同第２傾斜カム面２３ｄを乗り越えて、同図（ａ）に示すように第１カム部材２３の凸部２３ａの平坦面に達し、さらに同平坦面を摺接しつつ第１カム部材２３の他方の凹部２３ｂに移動し、第２傾斜カム面２５ｄを第１カム部材２３の第１傾斜カム面２３ｃに噛合して摺接しつつ第１カム部材２３の凹部２３ｂに、同図（ｃ）に示すように噛合する。
　【００４５】この間、開閉扉１０ａは開放方向へ回動しつつ両傾斜カム面の高さに相当する分だけ上昇し、その上昇位置にてさらに開放方向へ回動した後、両傾斜カム面の高さに相当する分下降して最大限開放される。
　【００４６】また、当該開閉支持装置２０ａにおいては、扉が最大限開放されている場合には、第２カム部材２５の凸部２５ａが第１カム部材２３の凹部２３ｂに図６（ｃ）に示す噛合状態にあり、開放状態にある開閉扉１０ａを閉鎖操作すると、第２カム部材２５は開閉扉１０ａと一体に上記とは逆方向へ回転して、第２カム部材２５の凸部２５ａは第２傾斜カム面２５ｄを第１カム部材２３の凸部２３ａの第１傾斜カム面２３ｃに摺接しつつ同第１傾斜カム面２３ｃを乗り越えて第１カム部材２３の凸部２３ａの平坦面に達し、さらに同平坦面を摺接しつつ第１カム部材２３の一方の凹部２３ｂに移動し、第１傾斜カム面２５ｃを第１カム部材の第２傾斜カム面２３ｄに噛合して摺接しつつ第１カム部材２３の一方の凹部２３ｂに噛合し、同図（ｂ）に示す噛合状態となる。
　【００４７】この間、開閉扉１０ａは閉鎖方向へ回動しつつ両傾斜カム面の高さに相当する分だけ上昇し、その上昇位置にてさらに閉鎖方向へ回動した後、両傾斜カム面の高さに相当する分下降し、この下降時の動作力が扉の閉鎖方向への回動力として作用し、扉の閉鎖動作を助勢する。この結果、開閉扉１０ａは確実に閉鎖されて収納庫が密閉される。
　【００４８】ところで、当該開閉支持装置２０ａにおいては、図６（ｂ）に示すように、両カム部材２３，２５の両傾斜カム面２３ｄ，２５ｃが互いに噛合して摺接途中の状態にあるとき開閉扉２０ａが閉鎖状態になるように構成されているため、開閉扉１０ａに対しては、閉鎖した状態においてもなお閉鎖方向への回動力が作用した状態にあり、この回動力が開閉扉１０ａを庫本体１１の開口縁部に押付るように作用し、開閉扉１０ａの閉鎖状態を確実なものとする。
　【００４９】また、当該開閉支持装置２０ａにおいては、図６（ｃ）に示すように、開閉扉１０ａの開放時に第２カム部材２５の凸部２５ａを第１カム部材２３の他方の凹部２３ｂに噛合させるように構成されているため、最大限開放した開閉扉１０ａをそのままの状態に保持することができ、冷蔵庫に対する収納品の出し入れ作業を、開閉扉１０ａの開放状態を手で保持することなく両手で行うことができて、冷蔵庫の使い勝手が極めてよくなる。
　【００５０】また、当該開閉支持装置２０ａにおいては、第２カム部材２５の凸部２５ａが第１カム部材２３の各凹部２３ｂに噛合するまでの間は、両カム部材２３，２５は凸部２３ａ，２５ａの平坦面同士で摺接する。このため、この間では開閉扉１０ａの昇降が規制されて開閉扉１０ａの過剰な昇降が防止されるとともに、各カム部材２３，２５の噛合面の摩耗、損傷を軽減させることができる。
　【００５１】また、当該開閉支持装置２０ａにおいては、第１カム部材２３の凸部２３ａおよび凹部２３ｂの周方向の幅と、第２カム部材２５の凸部２５ａおよび凹部２５ｂの周方向の幅を略同一寸法に形成しているため、各カム部材２３，２５の凸部２３ａ，２５ａの摺動部である平坦面を大きく形成し得て、平坦面における単位面積当りの圧力を低減して、各カム部材２３，２５の作動を円滑にし、かつ耐久性を向上させることができる。
　【００５２】また、当該開閉支持装置２０ａにおいては、両カム部材２３，２５の噛合面に、凸部２３ａ，２５ａを挟んで位置する両凹部２３ｂ，２５ｂからなる凹凸部を１組として、同凹凸部の３組を周方向に均等に形成しているため、同時に噛合する各傾斜カム面が３組となって各傾斜カム面の摺接圧力が周方向に分散され、両カム部材２３，２５の作動を一層円滑に、かつ両カム部材２３，２５の噛合面の摩耗、損傷を一層抑制することができる。これらの作用効果は、各凹凸部をヒンジピン２２を中心とする放射状に形成することにより、効果的に達成できる。
　【００５３】また、当該開閉支持装置においては、第１カム部材２３にヒンジプレート２１に対する取付フランジ２４ａを設けているとともに、第２カム部材２５に開閉扉１０ａに対する取付フランジ２４ｂを設けているため、第１カム部材２３の庫本体１１側への取付け、および第２カム部材２５の開閉扉１０ａ側への取付けを容易にすることができる。
　【００５４】図７には、当該開閉支持装置２０ａにおける両カム部材２３，２５の第１変形例が示されている。当該変形例に係る両カム部材２６，２７においては、各凸部２６ａ，２７ａの第１傾斜カム面２６ｃと第２傾斜カム面２７ｄが同一の傾斜角度に形成されているとともに、各凸部２６ａ，２７ａの第２傾斜カム面２６ｄと第１傾斜カム面２７ｃが同一の傾斜角度に形成され、かつ各凸部２６ａ，２７ａの第２傾斜カム面２６ｄと第１傾斜カム面２７ｃが第１傾斜カム面２６ｃと第２傾斜カム面２７ｄに比較して大きい傾斜角度に形成されている。
　【００５５】従って、このような両カム部材２６，２７を備えた開閉支持装置によれば、第１カム部材２６の第２傾斜カム面２６ｄと第２カム部材２７の第１傾斜カム面２７ｃが関与する開閉扉１０ａの開放操作時には開放操作が若干重くなるが、第１傾斜カム面２６ｃと第２傾斜カム面２７ｄが関与する開閉扉１０ａの閉鎖操作時には閉鎖操作が軽くなるとともに、開閉扉１０ａの閉鎖直前に生じる閉鎖方向への回動力が大きくなって、開閉扉１０ａの閉鎖を一層確実なものとする。
　【００５６】図８には、当該開閉支持装置２０ａにおける両カム部材２３，２５の第２変形例が示されている。当該変形例に係る両カム部材２８，２９は、形状の異なる２種類の凸部２８ａ，２８ｂ、２９ａ，２９ｂを備えている。両カム部材２８，２９における第１凸部２８ａと第２凸部２９ｂ同志、および両カム部材２８，２９における第２凸部２８ｂと第１凸部２９ａ同志は互いに同一形状に形成されている。
　【００５７】第１カム部材２８においては、第２凸部２８ｂにおける第２傾斜カム面２８ｆが略９０度の角度に形成されているとともに、この第２傾斜カム面２８ｆを除く全ての傾斜カム面２８ｃ〜２８ｅは９０度より小さい傾斜角度に形成されている。また、第２カム部材２９においては、第１凸部２９ａにおける第１傾斜カム面２９ｃが略９０度の角度に形成されているとともに、この第１傾斜カム面２９ｃを除く全ての傾斜カム面２９ｄ〜２９ｆは９０度より小さい傾斜角度に形成されている。
　【００５８】従って、このような両カム部材２８，２９を備えた開閉支持装置によれば、開閉扉１０ａの開放時に噛合する第１カム部材２８の第２凹部２８ｇと第２カム部材２９の第１凸部２９ａにおける開閉扉１０ａの開放方向側に噛合する傾斜カム面が、略９０度の角度を有する第２傾斜カム面２８ｆと第１傾斜カム面２９ｃとなる。このため、開閉扉１０ａはこの噛合状態では、これ以上開放方向へ回動させることはできず、特別の回動規制機構を設けることなく、開閉扉１０ａの最大開放量を所定量に規制することができる。
　【００５９】図９には、当該開閉支持装置２０ａの第１変形例が示されている。当該変形例の開閉支持装置２０ｃにおいては、ヒンジプレート２１の先端縁部が局部的に凹所２１ａに形成されている。同凹所２１ａはヒンジピン２２を中心とする円弧状に形成されていて、各端部に突出する突出縁部２１ｂ，２１ｃ内に位置しているとともに、ヒンジプレート２１に固定されている第１カム部材２３の外周に位置している。
　【００６０】一方、第２カム部材２５には、その先端縁に下方へ突出する突出片２５ｆが形成されている。突出片２５ｆは、第２カム部材２５が第１カム部材２３に噛合している状態においては、ヒンジプレート２１の円弧状凹所２１ａの外周に臨んでいて、両突出縁部２１ｂ，２１ｃ間を回動可能である。
　【００６１】従って、当該開閉支持装置２０ｃによれば、開閉扉１０ａの開放操作により、第２カム部材２５に設けた突出片２５ｆがヒンジプレート２１の先端側の突出縁部２１ｂに当接してそれ以上の開放側への回動が規制される。このため、ヒンジプレート２１の円弧状凹所２１ａおよび各突出縁部２１ｂ，２１ｃと、突出片２５ｆとが開閉扉１０ａの最大開放量を規制する回動規制機構を構成する。当該回動規制機構は、開閉支持装置２０ｃの構成部品の点数を増大させることなく簡単な構造に構成することができる。
　【００６２】図１０には、当該開閉支持装置２０ａの第２変形例が示されている。当該開閉支持装置２０ｄにおいては、第１カム部材２３と一体に形成されている取付フランジ２４ａ上に円筒状の筒部２４ｃが設けられていて、同筒部２４ｃの内部に第１カム部材２３が形成されている。第１カム部材２３の噛合面上には、ヒンジピン２２に挿通されてヒンジプレート２１上に取付けられた状態にてグリース等の潤滑剤が供給されていて、この上の第２カム部材２５が噛合している。
　【００６３】従って、当該開閉支持装置２０ｄによれば、両カム部材２３，２５の噛合面間に介在する潤滑剤の外部への漏洩を防止することができる。
【図面の簡単な説明】
　【図１】本発明に係る開閉支持装置を採用して開閉扉を支持した観音開き式冷蔵庫を示す正面図である。
　【図２】同開閉扉の支持状態を示す図１の矢印２−２線方向にみた縦断側面図である。
　【図３】同開閉扉の下端側の支持状態を示す開閉支持装置の側面図である。
　【図４】同開閉支持装置を構成する第１カム部材の平面図（ａ）、および矢印４方向から見た側面図（ｂ）である。
　【図５】同開閉支持装置を構成する第２カム部材の底面図（ａ）、および同側面図（ｂ）である。
　【図６】両カム部材の噛合状態における展開した部分縦断面図であって、開閉扉が開閉途中にある場合（ａ）、同開閉扉が閉鎖状態にある場合（ｂ）、同開閉扉が開放状態にある場合（ｃ）の縦断面図である。
　【図７】両カム部材の第１変形例を示す噛合状態における展開した部分縦断面である。
　【図８】両カム部材の第２変形例を示す噛合状態における展開した部分縦断面図である。
　【図９】開閉支持装置の第１変形例を示すもので、同開閉支持装置を構成するヒンジプレートの斜視図（ａ）、および同開閉支持装置の側面図（ｂ）である。
　【図１０】開閉支持装置の第２変形例を示す縦断側面図である。
　【符号の説明】
　１０ａ…開閉扉、１１…庫本体、１１ａ，１１ｂ…正面開口部、１２，１４…第１扉、１３，１５…第２扉、２０ａ，２０ｃ，２０ｄ…開閉支持装置、２０ｂ…ヒンジ装置、２１…ヒンジプレート、２１ａ…凹所、２１ｂ，２１ｃ…突出縁部、２２…ヒンジピン、２３，２６，２８…第１カム部材、２３ａ…凸部、２３ｂ…凹部、２３ｃ，２６ｃ，２８ｃ，２８ｅ…第１傾斜カム面、２３ｄ，２６ｄ，２８ｄ，２８ｆ…第２傾斜カム面、２３ｅ…内孔、２４ａ，２４ｂ…取付フランジ、２４ｃ…筒部、２５，２７，２９…第２カム部材、２５ａ…凸部、２５ｂ…凹部、２５ｃ，２７ｃ，２９ｃ，２９ｅ…第１傾斜カム面、２５ｄ，２７ｄ，２９ｄ，２９ｆ…第２傾斜カム面、２５ｅ…内孔、２５ｆ…突出片。